(57)【要約】      （修正有）【課題】臥床者の臀部が接触する表層体が軟らかく快適感を提供させ、且つ、尿が裏層体の底部に留まらず、迅速に排出することで終始サラサラ快適性を保たせることができ、尿漏れパンツの使用を不要とする装置を提供する。【解決手段】マットレス１の臥床者臀部位置に平坦、或いは、略高い排尿装置２を設ける。排尿装置は、受け皿２１内に、支持力が強い裏層体２３１と質地が軟らかく快適な表層体２３２とからなる透水と通気性を有する立体織物体を備える。また、受け皿に排水管２２を接続し、尿を容器内に導流し、更に受け皿の底部に凸部２１１、或いは、導流溝路を設ける。【選択図】図２
0003200264.tif 000002
【実用新案登録請求の範囲】
【請求項１】
マットレスの臀部位置に設けられる排尿装置は、マットレス上に設けられて水を外部に排出できる受け皿と、受け皿内に横臥用の透水、通気性を持つ横臥部材と、を含むことを特徴とする臥床者が尿漏れパンツを不要とする装置。
【請求項２】
前記マットレス上に凹部を設け、また、前記凹部内に前記受け皿を設けることを特徴とする請求項１に記載の臥床者が尿漏れパンツを不要とする装置。
【請求項３】
前記受け皿上に排水管を接続することを特徴とする請求項１に記載の臥床者が尿漏れパンツを不要とする装置。
【請求項４】
前記受け皿内の底部に凸部をふ設することを特徴とする請求項１に記載の臥床者が尿漏れパンツを不要とする装置。
【請求項５】
前記受け皿内の底部と前記底部の周囲に導流溝路をふ設することを特徴とする請求項１に記載の臥床者が尿漏れパンツを不要とする装置。
【請求項６】
前記横臥部材は受け皿内の底部に収容設置された透水、通気性があり、且つ、支持力が強いな裏層体と、裏層体上方にふ設され同様に透水、通気性があり、且つ、質地が軟らかく快適な表層体とを含むことを特徴とする請求項１に記載の臥床者が尿漏れパンツを不要とする装置。
【請求項７】
前記裏層体と表層体がいずれも立体織物体とすることを特徴とする請求項６に記載の臥床者が尿漏れパンツを不要とする装置。
【請求項８】
前記受け皿の底部裏面にパッドを更に敷くことを特徴とする請求項１に記載の臥床者が尿漏れパンツを不要とする装置。
【考案の詳細な説明】
【技術分野】
【０００１】
本考案は、臥床者にマットレス上での快適な寝心地を提供すると共に尿排出機能を備えた受け皿、及び通気性、透水性を具え受け皿内に収容された裏層体と表層体を設け、臥床者がいつでも排尿後、当該箇所が乾き快適な状態を保つことで皮膚病を避け、且つ交換や拭き取り作業を減らすことができ、並びに洗浄しやすい利便性を持ち、同時に尿漏れパンツの交換費用を節約できるため、地球を守るという現代における環境保全もアピールできる。
【背景技術】
【０００２】
赤ちゃん、子供、産後の婦人、尿失禁者、身体障害者、寝たきり者或いは集中治療室の重篤な患者等は、排尿を自分の意志でコントロールできないため、時におねしょでベッドを汚すという問題が発生し、介護者の日常生活も著しい試練と影響を受け、このためベッドの清潔性や衛生の保持、及び清掃の難易度は、臥床者と介護者の生活の質にとって、極めて重要なことになっている。
【０００３】
現在市販されている使い捨てタイプの履きやすい尿漏れ用紙オムツ、又はベッドに敷く介護用シートは、その表層に吸水材が使用されることで速やかに水分を吸収でき、且つ逆戻りせず、並びに下層が通気しやすいため皮膚のアレルギー及び湿疹等を予防できるという利点を持ち、前述のおねしょの問題を大幅に解決できるようになったが、一日の使用量は多いため、出費もかさばり、一般的な家庭にとって、確かに重い負担となり、且つ使い捨てタイプの尿漏れ紙オムツ或いは介護用シートも環境に対し処理上の困難と汚染を引き起こしてしまう。
【０００４】
また、もう１種類の繰り返し使用できる防水シートは、おねしょする位置に敷かれる大判布シートで、表層の肌に接触する面が起毛素材で、且つ吸湿速乾の特殊な加工処理を経て、質地が軟らかく快適で、吸水性にも優れると共に乾きやすく、肌を長時間に渡りサラサラ快適性を保たせ、同時に防水布に漏れ防止、マットレス保護を強化し、また洗濯が簡単で、又繰り返し使用できるため、環境への汚染を減らすことができる。しかしその吸水性が優れているが、吸水量にはまだ限度があり、おねしょも１回目或いは２回目になった時、直ぐ交換する必要がある。さもなければ吸水材の吸水量が一杯になった後、皮膚が接触する部位のサラサラ快適性を保つことができなくなるため、容易に湿疹等の皮膚病に罹ってしまう。
【考案の概要】
【考案が解決しようとする課題】
【０００５】
前記の従来使用されてきた尿漏れ紙オムツ、介護シート或いは防水シートを常に交換或いは洗濯するという手間を改善するため、本考案ではベッドの臀部位置に水を受け、また外部に導流できる受け皿を凹設し、また受け皿に支持力が比較的強く且つ多孔質、透水、通気がある一層の裏層体及び裏層体上方にふ設することで臥床者の臀部に接触する透水、通気があり且つ質地が軟らかく快適な表層体をふ設し、臥床者の排尿が迅速に受け皿内に流入されて外部の尿器又は尿瓶内に排出され、臥床者の臀部を長時間サラサラ快適に保たせ、介護者も容易に臥床者の排尿状況を見守ることができ、同時に受け皿及びその中に収容設置された裏層体と表層体の洗濯がより一層簡単で、また繰り返し使用でき、且つ従来技術の防水シートの吸水材の吸水量が一杯になった後に使用し続けることができないという問題がなくなる。
【課題を解決するための手段】
【０００６】
本考案の技術的問題を解決するために採用する技術的思想は、マットレスの臀部位置に排尿装置を設け、排尿装置を格納するためマットレス上に設けられる凹部を含む。排尿装置は尿を外部に排出できる受け皿を更に含み、また受け皿内に横臥用の透水、通気性を持つ横臥部材が収容設置される。
【０００７】
上記技術的思想において、該受け皿上に排水管を接続する。
【０００８】
上記技術的思想において、該受け皿内の底部に凸部をふ設する。
【０００９】
上記技術的思想において、該受け皿内の底部と該底部の周囲に導流溝路をふ設する。
【００１０】
上記技術的思想において、該横臥部材は受け皿内の底部に収容設置された透水、通気性があり且つ支持力が強いな裏層体と、裏層体上方にふ設される同様に透水、通気性があり且つ質地が軟らかく快適な表層体とを含む。
【００１１】
上記技術的思想において、該裏層体と表層体がいずれも立体織物体とする。
【００１２】
上記技術的思想において、該受け皿の底部裏面にパッドを更に敷く。
【考案の効果】
【００１３】
上記の本考案のマットレスの臀部位置に凹設された排尿装置を通じて、臥床者がいつでも排尿した時、尿が迅速に表層体と裏層体を通じて、受け皿内に流入させると共に排水管を通じて受ける容器内に流出され、受け皿内と表層体、裏層体に終始サラサラ快適性を保たせ、且つ介護者も容器をチェックして臥床者の排尿量或いは回数を知ることで、最適なタイミングで交換と洗浄を行うことができる。次に介護者も必要性を見て、直接臥床者の下半身を洗うことができ、洗った後も臥床者の下半身のサラサラ快適性を保つこともでき、汚水は同様に受け皿内に流入すると共に排水管を通じて蓄尿容器内に流出させることができる。
【図面の簡単な説明】
【００１４】
【図１】本考案の立体組立図である。
【図２】本考案の立体分解図である。
【図３】本考案の断面図である。
【図４】本考案の立体織物体の局部立体拡大図である。
【図５】本考案の受け皿の別の実施例を示す図である。
【図６】本考案の受け皿底部裏面にパッドを敷いた様子を示す図である。
【図７】本考案の圧迫を受けた後パッドを敷いた受け皿の沈下様子を示す図である。
【考案を実施するための形態】
【００１５】
図１乃至図３を参照しながら説明する。本考案はマットレス１上に設けられる平坦或いは略高い排尿装置２を含み、該マットレス１の臥床者の臀部位置に該排尿装置２を収容設置できる凹部１０（マットレス１の硬さを見て凹部１０を設置しなくてもよい）を設ける。該排尿装置２には周囲が少し外方に向かって傾斜し、且つ頂端が角丸（又は緩衝材を嵌設している）にした受け皿２１を更に含み、また受け皿２１内の底部に凸起して間隔をおいて設置された凸部２１１がふ設され、且つ受け皿２１内の底部或いは一側の一番低い箇所に排水管２２が接続され、また該排水管２２はマットレス１を通過（或いは横切り）して蓄尿容器内に排出することができる。
【００１６】
更に、上記受け皿２１内に臥床者の臀部横臥に供することができる横臥部材２３を更に収容設置し、且つ該横臥部材２３にも受け皿１内の底部に収容設置された透水、通気性を持ち且つ支持力が強い裏層体２３１と、裏層体２３１上方にふ設し臥床者の臀部横臥に供して透水、通気性を持ち且つ質地が軟らかく快適な表層体２３２とを含む。同時に該裏層体２３１と表層体２３２は図４に示すような立体織物体である。
【００１７】
次に、上述の受け皿２１内の底部も図５に示すようなものとすることができ、つまり該底部及びその周囲に導流溝路２１２をふ設し、尿を各導流溝路２１２に沿って低い箇所にある排水管２２から排出させることができる。
【００１８】
よって、臥床者の臀部がマットレス１上に設けられた排尿装置２に横臥した時、臥床者がいつ排尿しても、尿を迅速に表層体２３２と裏層体２３１を通じて受け皿２１内に流入させ、また尿を排水管２２から蓄尿容器内に流入させることができるため、介護者が容器内に尿の有無、或いは尿の量の多寡をチェックするだけで、臥床者の排尿量或いは回数を知ることができ、最適なタイミングで交換と洗浄を行い、介護作業もより一層楽になる。
【００１９】
同時に、該表層体２３２、裏層体２３１の迅速な透水性、及び受け皿２１の迅速な排水機能を通じて、該排尿装置２が終始乾燥を保ち、異臭の問題を減らすことができ、同時にも定期的に臥床者の臀部を洗うことで、臥床者の臀部のサラサラ快適性を提供し、皮膚病を減らすことができる。洗った後の汚水も同様に該表層体２３２、裏層体２３１の迅速な透水性、及び受け皿２１の迅速な排水機能を通じ、排水管２２を経由して蓄尿容器内に流入させることができる。
【００２０】
更に、上記受け皿２１内の底部の凸部２１１又は導流溝路２１２の設計を問わず、横臥部材２３（或いは裏層体２３１）を少し嵩上げすることで、受け皿２１底部に流入した尿が横臥部材２３（或いは裏層体２３１）と接触或いはとどめる時間が短くなり、尿を迅速に排出した後で横臥部材２３（或いは裏層体２３１）の乾燥と衛生を維持させることを目的とする。
【００２１】
また、図６と図７を参照すると、排尿装置２を平坦で収容設置用の凹部を凹設していない普通マットレス１上に置いた時、排尿装置２の受け皿２１底部裏面にパッド３を敷くことができる。その目的は臥床者の臀部が上方に圧迫した時、排尿装置２全体がマットレス１の柔軟性により沈下し、従って該パッド３の厚さの補助を通じて、受け皿２１をあまり沈下しすぎないようにさせることで、受け皿２１の一側に該排水管２２を取り付けた吐出口は、適切な高さに維持させ、受け皿２１内の液体が排水管２２を通じて排出されることに影響を与えることがない。
【符号の説明】
【００２２】
１        マットレス
１０      凹部
２        排尿装置
２１      受け皿
２１１    凸部
２１２    導流溝路
２２      排水管
２３      横臥部材
２３１    裏層体
２３２    表層体
３        パッド
【図１】
0003200264.tif 000003
【図２】
0003200264.tif 000004
【図３】
0003200264.tif 000005
【図４】
0003200264.tif 000006
【図５】
0003200264.tif 000007
【図６】
0003200264.tif 000008
【図７】
0003200264.tif 000009